(57)【要約】      （修正有）【課題】ＧＰＳ機能付き携帯電話等の携帯通信端末の電源を切断された後も、ユーザの現在位置を知らせることを可能とする、ユーザの利便性を追及した携帯通信端末を提供する。【解決手段】ＧＰＳ衛星からの信号データを受信するＧＰＳ受信部105と、前記信号データを基に携帯通信端末の現在位置を求める位置測定部107と、位置測定部107で求めた位置情報等を発信する位置情報発信部108と、位置情報発信部108へ位置情報発信要求の指示を出す制御部104と、該携帯通信端末の電源切断後に予め設定された時間間隔で電源オンとするタイマ回路102とを備えたＧＰＳ機能付き携帯通信端末であって、該携帯通信端末の電源オン中は予め設定された時間間隔で自動的に該携帯通信端末の位置情報等を自動発信すると共に、該携帯通信端末の電源が切断された後も該携帯通信端末の位置情報等を予め設定された時間間隔で自動発信することを可能にする。【選択図】図１
2007074691.tif 000002
【特許請求の範囲】
【請求項１】
ＧＰＳ衛星からの信号データを受信するＧＰＳ受信部と、前記信号データを基に自端末の現在位置を求める位置測定部と、前記位置測定部で求めた位置情報等を発信する位置情報発信部と、前記位置情報発信部へ位置情報発信要求の指示を出す制御部と、自端末の電源切断後に予め設定された時間間隔で電源オンとするタイマ回路部とを備え、自端末の電源オン中は予め設定された時間間隔で自動的に自端末の位置情報等を自動発信する機能を有すると共に、自端末の電源が切断された後も予め設定された時間間隔で自動的に自端末の位置情報等を自動発信する機能を有することを特徴とする携帯通信端末。
【請求項２】
前記位置情報発信部は、ＧＰＳ衛星から受信した信号データを基にして前記位置測定部が求めた自端末の位置情報と、前記位置情報を検出した時刻情報と、自端末に予め登録されている自端末情報と、自端末が受信した情報および該情報を基に算出して得られるその他関連情報とを、予め設定された特定アドレスに対して発信する手段を備えたことを特徴とする請求項１に記載の携帯通信端末。
【請求項３】
前記タイマ回路部は、自端末の電源切断後に予め設定された時間間隔で電源スイッチをオンとする手段と、前記制御部の電源オフ要求の指示により電源スイッチをオフとする手段とを備えると共に、前記電源スイッチをオンとした時には前記制御部に対して自動電源オン通知を行う手段を備えたことを特徴とする請求項１に記載の携帯通信端末。
【請求項４】
前記制御部は、前記タイマ回路部より自動電源オン通知を受けると前記位置情報発信部へ位置情報発信要求の指示を出す手段と、前記位置情報の送信が完了するとタイマ回路へ電源オフ要求の指示を出す手段とを備えたことを特徴とする請求項１に記載の携帯通信端末。
【請求項５】
前記タイマ回路部は、ユーザ操作により手動で電源が投入されると前記制御部に対して手動電源オン通知を行う手段を備えると共に、前記制御部は、手動電源オン通知を受けると予め設定された時間間隔で自動的に前記位置情報発信部へ位置情報発信要求の指示を出す手段を備えたことを特徴とする請求項１に記載の携帯通信端末。
【請求項６】
前記制御部は、自端末の電池の残量が予め設定された閾値よりも少なくなると無線通信部へ指示を出して電池残量通知メッセージを発信する手段を備えたことを特徴とする請求項１に記載の携帯通信端末。
【請求項７】
前記制御部は、自端末の電池の残量が予め設定された閾値よりも少なくなると前記位置情報発信部へ位置情報発信要求の指示を出す時間間隔を長くするために、予め設定された時間間隔値を自動的に変更する機能を有することを特徴とする請求項１に記載の携帯通信端末。
【請求項８】
自端末に画像撮影を行うためのカメラ撮影部を備え、前記制御部はカメラ撮影部へ画像撮影の指示を出す手段と、前記カメラ撮影部が画像撮影した画像情報を前記位置情報発信部へ引き渡す手段とを備えると共に、前記位置情報発信部は自端末の位置情報等に前記画像情報を付加して発信する手段を備えたことを特徴とする請求項１に記載の携帯通信端末。
【請求項９】
自端末に音声を記録するための音声記録部を備え、前記制御部は音声記録部へ音声記録の指示を出す手段と、前記音声記録部が音声記録した音声情報を前記位置情報発信部へ引き渡す手段とを備えると共に、前記位置情報発信部は自端末の位置情報等に前記音声情報を付加して発信する手段を備えたことを特徴とする請求項１に記載の携帯通信端末。
【請求項１０】
前記位置情報発信部が取得した現在の位置情報が特定範囲内にある場合には、位置情報等の発信を抑止する機能を有すること、および前記特定範囲は位置情報発信部が取得した前回の位置情報を基に算出して求められることを特徴とする請求項１に記載の携帯通信端末。
【請求項１１】
前記携帯通信端末は外部から位置情報発信要求を受け取ると即時に自端末の現在の位置情報を取得すると共に、該位置情報と前記位置情報発信要求の指示に応じた情報とを発信する機能を有することを特徴とする請求項１に記載の携帯通信端末。
【請求項１２】
前記携帯通信端末はシークレットモード機能を有しており、ユーザ操作によりシークレットモード機能が選択された場合、自端末の電源オン中は、表示部は位置情報等を自動発信する機能に関する動作表示を行わないようにする手段と、操作部は位置情報等を自動発信する機能に関する操作をできないようにする手段を備えると共に、自端末の電源オフ中は、表示部は電源オン表示を行わないようにする手段を備えたことを特徴とする請求項１に記載の携帯通信端末。
【発明の詳細な説明】
【技術分野】
【０００１】  本発明は、ＧＰＳ（Ｇｌｏｂａｌ  Ｐｏｓｉｔｉｏｎｉｎｇ  Ｓｙｓｔｅｍ）機能を利用して携帯電話等の携帯通信端末の位置情報を、特定アドレスへ自動発信する技術に関する。
【背景技術】
【０００２】  近年、ＧＰＳ機能付き携帯電話等の携帯通信端末が急速に普及しており、その利用場面も多様化してきている。例えば、徘徊老人や子供の現在位置を知るために使用されたり、また自動車等の車両の盗難探知のために使用される場合もある。
ところがユーザがＧＰＳ機能付き携帯電話を常時身に付けていても、意図的に携帯電話の電源を切断されてしまうと、ユーザの位置情報を知ることができなくなり、ユーザの利便性が損なわれるという問題がある。ここで用いている「意図的」とは、悪意を持った第三者が不正を行うために自分の所在を教えたくないと考えた場合などがあり、誘拐、拉致、監禁事件などの社会問題に繋がるケースも想定される。またユーザが電車などの公共の乗り物に乗車する際に、意図的に携帯電話の電源オフとした後、降車した時に電源オンとすることを忘れる等、ユーザの不注意や忘れたりするケースも想定される。【０００３】  例えば特許文献１では、病院や美術館等の携帯電話を使用することが好ましくない場所に移動したことを、ＧＰＳ機能を利用して検出し、携帯電話の電源を自動的にオフにするシステムが提案されている。
また特許文献２では、ユーザが公共の場所へ移動し携帯電話の電源を切断する前に、ＧＰＳが検出した位置情報を発信するシステムが提案されている。【０００４】
【特許文献１】特開２００１−１６０９８５号公報
【特許文献２】特開２００３−００９２０３号公報
【発明の開示】
【発明が解決しようとする課題】
【０００５】  しかしながら、携帯電話の電源が切断された後は、ユーザの位置情報を知ることができなくなるという問題がある。仮に公共の施設などの携帯電話を使用することが好ましくない場所に居る間はユーザの位置情報を知ることができないにしても、ユーザがその場所から出た後に電源を入れ忘れることも想定され、その場合は継続してユーザの位置情報を知ることができなくなる。【０００６】  本発明は、ＧＰＳ機能付き携帯電話等の携帯通信端末の電源を切断された後も、予め設定された時間間隔で、自端末の現在の位置情報等を自動的に発信することにより、ユーザの利便性を追及すると共に犯罪の防止や犯罪の早期解決にも貢献する携帯通信端末を提供することを目的とする。
【課題を解決するための手段】
【０００７】  上記目的を達成するため、請求項１に記載の携帯通信端末は、ＧＰＳ衛星からの信号データを受信するＧＰＳ受信部と、前記信号データを基に自端末の現在位置を求める位置測定部と、前記位置測定部で求めた位置情報等を発信する位置情報発信部と、前記位置情報発信部へ位置情報発信要求の指示を出す制御部と、自端末の電源切断後に予め設定された時間間隔で電源オンとするタイマ回路部とを備え、自端末の電源オン中は予め設定された時間間隔で自動的に自端末の位置情報等を自動発信する機能を有すると共に、自端末の電源が切断された後も予め設定された時間間隔で自動的に自端末の位置情報等を自動発信する機能を有することを特徴とする。【０００８】  請求項２に記載の位置情報発信部は、ＧＰＳ衛星から受信した信号データを基にして前記位置測定部が求めた自端末の位置情報と、前記位置情報を検出した時刻情報と、自端末に予め登録されている自端末情報と、自端末が受信した情報および該情報を基に算出して得られるその他関連情報とを、予め設定された特定アドレスに対して発信する手段を備えたことを特徴とする。【０００９】  請求項３に記載のタイマ回路は、自端末の電源切断後に予め設定された時間間隔で電源スイッチをオンとする手段と、前記制御部の電源オフ要求の指示により電源スイッチをオフとする手段とを備えると共に、前記電源スイッチをオンとした時には前記制御部に対して自動電源オン通知を行う手段を備えたことを特徴とする。これにより携帯通信端末の電源を切断された後、「タイマ監視」→「自動電源オン」→「位置情報等の発信」→「自動電源オフ」→「タイマ監視」の動作を繰り返すことで位置情報等の自動発信を可能とすると共に、電池の消費電力を大幅に削減して電池の使用可能時間を延長する効果がある。【００１０】  請求項４に記載の制御部は、前記タイマ回路部より自動電源オン通知を受けると前記位置情報発信部へ位置情報発信要求の指示を出す手段と、前記位置情報の送信が完了するとタイマ回路へ電源オフ要求の指示を出す手段とを備えたことを特徴とする。これにより携帯通信端末の電源オフ中に前記タイマ回路部の指示により「位置情報等の発信」の動作を行うことが可能となり、さらに前記タイマ回路部へ電源オフ要求の指示を出すことで「自動電源オフ」の動作を行うことが可能となる。【００１１】  請求項５に記載のタイマ回路部は、ユーザ操作により手動で電源が投入されると前記制御部に対して手動電源オン通知を行う手段を備えると共に、前記制御部は、手動電源オン通知を受けると予め設定された時間間隔で自動的に前記位置情報発信部へ位置情報発信要求の指示を出す手段を備えたことを特徴とする。これにより携帯通信端末の電源が投入された後も位置情報等の自動発信が可能となる。【００１２】  請求項６に記載の制御部は、自端末の電池の残量が予め設定された閾値よりも少なくなると無線通信部へ指示を出して電池残量通知メッセージを発信する手段を備えたことを特徴とする。これによりユーザは電池残量通知メッセージを受け取ることで、ユーザは電池残量が無くなる前に電池の充電または電池の交換等を行うことが可能となり位置情報サービスを継続して使用することができる。【００１３】  請求項７に記載の制御部は、自端末の電池の残量が予め設定された閾値よりも少なくなると前記位置情報発信部へ位置情報発信要求の指示を出す時間間隔を長くするために、予め設定された時間間隔値を自動的に変更する機能を有することを特徴とする。これにより位置情報発信間隔を自動的に長くすることで電池の消耗を低減する効果がある。【００１４】  請求項８に記載の携帯通信端末は、自端末に画像撮影を行うためのカメラ撮影部を備え、前記制御部はカメラ撮影部へ画像撮影の指示を出す手段と、前記カメラ撮影部が画像撮影した画像情報を前記位置情報発信部へ引き渡す手段とを備えると共に、前記位置情報発信部は自端末の位置情報等に前記画像情報を付加して発信する手段を備えたことを特徴とする。これによりユーザは携帯通信端末の現在位置に関する周囲の状況（例えば、道路、建物、人物、人物の服装、等の画像情報）を目視確認することが可能になり、悪意を持って不正を行おうとした人物を追跡する場合など犯罪の早期解決に貢献する効果がある。【００１５】  請求項９に記載の携帯通信端末は、自端末に音声を記録するための音声記録部を備え、前記制御部は音声記録部へ音声記録の指示を出す手段と、前記音声記録部が音声記録した音声情報を前記位置情報発信部へ引き渡す手段とを備えると共に、前記位置情報発信部は自端末の位置情報等に前記音声情報を付加して発信する手段を備えたことを特徴とする。ここで音声記録部が音声記録する記録時間については、ユーザが予め設定しておくようにする。これによりユーザは携帯通信端末の現在位置に関する周囲の状況（例えば、人間の声、駅や列車内の放送案内、等の音声情報）を耳で確認することが可能になり、悪意を持って不正を行おうとした人物を追跡する場合など犯罪の早期解決に貢献する効果がある。【００１６】  請求項１０に記載の携帯通信端末は、位置情報発信部が取得した現在の位置情報が特定範囲内にある場合には、位置情報等の発信を抑止する機能を有すること、および前記特定範囲は位置情報発信部が取得した前回の位置情報を基に算出して求められることを特徴とする。これにより現在の位置情報が特定範囲内にある場合には位置情報等の発信を抑止することが可能となり、ユーザの利便性および通信費削減のメリットも期待できる。【００１７】  請求項１１に記載の携帯通信端末は、外部から位置情報発信要求を受け取ると即時に自端末の現在の位置情報を取得すると共に、該位置情報と前記位置情報発信要求の指示に応じた情報とを発信する機能を有することを特徴とする。ここで位置情報発信要求の指示に応じた情報とは、カメラ撮影部が撮影した画像情報、音声記録部が記録した音声情報、位置情報発信部が地図情報とリンクして求めた住所情報および該住所情報に基づき求めた目印情報（コンビニエンスストア、ガソリンスタンド、学校、公共施設、交差点、等）と、位置情報発信部が前回発信した位置情報と現在の位置情報と比較算出して求めた差分情報（例えば、南西に１．３ｋｍ移動）等がある。【００１８】  請求項１２に記載の携帯通信端末はシークレットモード機能を有しており、ユーザ操作によりシークレットモード機能が選択された場合、自端末の電源オン中は、表示部は位置情報等を自動発信する機能に関する動作表示を行わないようにする手段と、操作部は位置情報等を自動発信する機能に関する操作をできないようにする手段を備えると共に、自端末の電源オフ中は、表示部は電源オン表示を行わないようにする手段を備えたことを特徴とする。これにより自端末の電源オンおよび電源オフ中に、位置情報等の自動発信を携帯通信端末の使用者に気づかれることなく行うことが可能となり、悪意を持って不正を行おうとした者に悟られずに自端末の現在の位置情報を自動発信することができる。
【発明の効果】
【００１９】  本発明によれば、ＧＰＳ機能付き携帯電話等の携帯通信端末の電源が手動により切断されると直ぐに自端末の現在の位置情報等を自動的に発信すると共に、その後も、予め設定された時間間隔で、自端末の現在の位置情報等を自動的に発信することが可能となるため、携帯通信端末の電源を切断された後もユーザの現在位置を知らせることができユーザの利便性を高めると共に、犯罪の防止や犯罪の早期解決に貢献する効果がある。【００２０】  またＧＰＳ機能付き携帯電話等の携帯通信端末の電源を切断された後、「タイマ監視」→「自動電源オン」→「位置情報等の発信」→「自動電源オフ」→「タイマ監視」の動作を繰り返すと共に、電源切断中は表示部には電源オン状態を表示しないようにシークレットモード状態とすることにより、電池の消費電力を大幅に削減して電池の使用可能時間を延長する効果がある。さらにシークレットモードは、携帯通信端末の電源がオン中も選択できるオプションとし、ユーザがシークレットモードを継続するオプションを選択した時には位置情報等を自動発信する機能に関する動作の表示を行わないことにすると共に、位置情報等を自動発信する機能に関する操作もできないようにすることで、悪意を持って不正を行おうとした者が自分の所在を教えたくないと考えた場合に、前者に悟られずに自端末の現在の位置情報を自動発信することが可能となり、犯罪の防止や犯罪の早期解決に貢献する効果がある。【００２１】  また電池の残量が予め設定された閾値よりも少なくなった時に、ユーザは電池残量通知メッセージを受け取ることにより、ユーザは電池残量が無くなる前に電池の充電または電池の交換等を行うことで位置情報サービスを継続して使用することが可能になると共に、位置情報発信間隔を長くすることにより、電池の消耗を低減する効果がある。【００２２】  またカメラ撮影部の付いた携帯通信端末の場合、位置情報等に加えて画像撮影した画像情報を自動発信することにより、ユーザは該携帯通信端末の現在の位置情報を把握すると共に該携帯通信端末の現在位置に関する周囲の状況（例えば、道路、建物、人物、人物の服装、等の画像情報）を目視確認することが可能になり、悪意を持って不正を行おうとした人物を追跡する場合など犯罪の早期解決に貢献する効果がある。【００２３】  さらに音声記録部の付いた携帯通信端末の場合、位置情報等に加えて音声記録した音声情報を自動発信することにより、ユーザは該携帯通信端末の現在の位置情報を把握すると共に該携帯通信端末の現在位置に関する周囲の状況（例えば、人間の声、駅や列車内の放送案内、等の音声情報）を耳で確認することが可能になり、悪意を持って不正を行おうとした人物を追跡する場合など犯罪の早期解決に貢献する効果がある。
【発明を実施するための最良の形態】
【００２４】  以下、本発明の実施例を、図面により詳細に説明する。図１は、本発明の実施の形態に係るＧＰＳ機能付き携帯通信端末の内部構成を示すブロック図である。【００２５】  本実施例のＧＰＳ機能付き携帯通信端末は、ＧＰＳ衛星から送信される信号データを受信するＧＰＳアンテナ１０６およびＧＰＳ受信部１０５と、前記信号データを基に自端末の現在位置を求める位置測定部１０７と、位置測定部１０７で求めた位置情報等を自動発信する位置情報発信部１０８と、位置情報発信部１０８の指示により無線通信プロトコルに従ってデータを送受信する無線通信部１０９とを有する。【００２６】  また自端末の電源切断後に予め設定された時間間隔で電源オンとし制御部１０４の指示により電源オフとするタイマ回路部１０２と、前記電源オンと同時に位置情報発信部へ指示を出して現在の位置情報等を発信すると共に前記位置情報の発信後にタイマ回路部部１０２へ指示を出し電源オフとする制御部１０４と、タイマ回路の指示により携帯通信端末の各部に対する電源供給をオン／オフする電源スイッチ１０３と、携帯通信端末の電源供給源となる電池１０１とを有する。【００２７】  さらに無線通信部１０９、制御部１０４を含む携帯通信端末全体の制御を行うＣＰＵ１１１と、ＣＰＵ１１１が各部を制御するために必要なプログラムや、携帯通信端末のプロトコル、位置情報を測定するために必要な各種ソフトウエアを格納するＲＡＭ／ＲＯＭ１１２と、ＣＰＵ１１１および各部の動作タイミングを測ると共に、現在時刻をカウントするソフトウエアタイマの基準となるシステムクロック部１１３と、携帯通信端末の動作状況を表示する表示部１１４と、ユーザが操作を行うときのインタフェースとなる入力操作部１１５と、画像撮影を行うカメラ撮影部１１６と、音声を記録する音声記録部１１７とを有する。【００２８】  次に本実施例におけるＧＰＳ機能付き携帯通信端末の動作について説明する。図２は、電源オフ時の動作を示すタイムチャートである。【００２９】  タイマ回路部１０２は、自端末の電源切断時にも電源が常時供給されるようになっており、自端末の電源スイッチ１０３を常時監視すると共に、電源切断（電源スイッチ１０３がオフ）を検知した時には、予め設定された電源切断期間Ｔ０のカウントを開始する。タイマ回路部１０２は、電源切断期間Ｔ０のカウントを終了すると、電源スイッチ１０３をオンにして各部に対する電源供給を開始すると共に、制御部１０４に対して自動電源オン通知を行う。ここで電源切断期間Ｔ０は、初期値として予め設定されている値であるが、ユーザが操作部１１５で設定値を変更することは可能である。また電源切断期間Ｔ０は、最初の電源切断期間であり、この値を小さくすることで、手動による電源切断後直ちに位置情報等の発信を行うことが可能となる。【００３０】  表示部１１４は、タイマ回路部１０２が電源スイッチ１０３をオンにして各部に対する電源供給を開始しても、シークレットモード機能が選択されていると電源オン表示を行わない状態となる。【００３１】  制御部１０４は、タイマ回路部１０２より自動電源オン通知を受け取ると位置情報発信部１０８へ位置情報発信要求の指示を出す。【００３２】  位置情報発信部１０８は、ＧＰＳ衛星から受信した信号データを基にして位置測定部１０７が求めた自端末の位置情報と、位置情報を検出した時刻情報と、自端末に予め登録されているユーザ情報等の自端末情報と、自端末が受信した情報および該情報を基に算出して得られるその他関連情報とを、予め設定された特定アドレスに対して発信するように制御する。さらに、位置情報発信部１０８は無線通信部１０９へ情報発信の指示を出し、無線通信部１０９は、無線通信プロトコルに従ってデータを送信する。無線通信部１０９は、データ送信が完了すると制御部１０４に対して送信完了通知を行い、制御部１０４は、送信完了通知を受け取るとタイマ回路部１０２へ電源オフ要求の指示を出す。【００３３】  タイマ回路部１０２は、制御部１０４から電源オフ要求の指示により、電源スイッチ１０３をオフにして各部に対する電源供給を止めると共に、再び予め設定された電源切断期間Ｔ１のカウントを開始する。ここで電源切断期間Ｔ１は、２回目以降の電源切断期間であり、通常はＴ０≦Ｔ１とすることになる。また電源切断期間Ｔ１は、初期値として予め設定されている値であるが、ユーザが操作部１１５で設定値を変更することは可能である。【００３４】  ユーザ操作により携帯通信端末の電源がオンになるまで、上記で説明したようにシークレットモード状態で「タイマ監視」→「自動電源オン」→「位置情報等の発信」→「自動電源オフ」→「タイマ監視」の動作を繰り返すことになる。またユーザ操作により携帯通信端末の電源がオンになると、タイマ回路部１０２はカウント処理を止めるとともに、表示部１１４は電源オン表示を行うようになる。
またユーザ操作により携帯通信端末の電源がオンとなり、シークレットモード状態が継続している時には、表示部１１４は電源オン表示を行い通常表示状態となるが、位置情報等を自動発信する機能に関する動作の表示を行わないようにすると共に、位置情報等を自動発信する機能に関する操作もできないようにする。【００３５】  以上から、ユーザ操作により携帯通信端末の電源を切断された後も、予め設定された時間間隔Ｔ０およびＴ１で自端末の現在の位置情報等を繰返し自動発信することが可能となる。【００３６】  次に、ユーザ操作により電源オンとなった場合の携帯通信端末の動作について、図３に示すタイムチャートを基にして説明する。【００３７】  タイマ回路部１０２は、自端末の電源スイッチ１０３を常時監視しており、ユーザ操作により手動で電源が投入されたことを検知するとカウント処理を中止し、制御部１０４に対して手動電源オン通知を行う。制御部１０４は、手動電源オン通知を受けると即時に位置情報発信部１０８へ位置情報発信要求の指示を出す。【００３８】  位置情報発信部１０８は、ＧＰＳ衛星から受信した信号データを基にして位置測定部１０７が求めた自端末の位置情報と、位置情報を検出した時刻情報と、自端末に予め登録されているユーザ情報等の自端末情報と、自端末が受信した情報および該情報を基に算出して得られるその他関連情報とを、予め設定された特定アドレスに対して発信するように制御する。さらに、位置情報発信部１０８は無線通信部１０９へ情報発信の指示を出し、無線通信部１０９は、無線通信プロトコルに従ってデータを送信する。【００３９】  無線通信部１０９は、データ送信が完了すると制御部１０４に対して送信完了通知を行い、制御部１０４は、送信完了通知を受け取ると、予め設定された時間Ｔ２（送信間隔期間）が経過するまで待ち、送信間隔期間Ｔ２に達すると、再び位置情報発信部１０８へ位置情報発信要求の指示を出す。ユーザ操作により携帯通信端末の電源がオフになるまで、制御部１０４は上記の処理を繰り返すことになる。ここで送信間隔期間Ｔ２は、初期値として予め設定されている値であるが、ユーザが操作部１１５で設定値を変更することは可能である。【００４０】  以上から、ユーザ操作により携帯通信端末の電源が投入されると、即時に自端末の現在の位置情報等を自動発信し、その後は予め設定された時間間隔Ｔ２で自端末の現在の位置情報等を繰返し自動発信することが可能となる。
またユーザ操作により携帯通信端末の電源がオンとなり、さらにシークレットモード機能が選択された場合には、表示部１１４は電源オン表示を行い通常表示状態となるが、位置情報等を自動発信する機能に関する動作の表示を行わないようにすると共に、位置情報等を自動発信する機能に関する操作もできないようにする。【００４１】  次に、電池残量が少なくなった時の動作について、図４に示すタイムチャートを基にして説明する。【００４２】  制御部１０４は、自端末の電池１０１の残量を常時監視し、自端末の電池１０１の残量が予め設定された閾値よりも少なくなった時に、無線通信部１０９に対して電池残量通知メッセージの発信要求の指示を出す。この時、予め設定された特定アドレスに対して発信するように指示を出す。無線通信部１０９は、無線通信プロトコルに従ってデータを送信する。
さらに制御部１０４は、自端末の電池１０１の残量を常時監視し、自端末の電池１０１の残量が予め設定された閾値よりも少なくなった時に、電源切断期間Ｔ１を長くするために、予め設定された時間間隔値を自動的にＴ１＋αに変更する。【００４３】  また図４の実施例は、電源オフ時の携帯通信端末の電池残量が少なくなった時の動作を説明しているが、電源オン時も同様の動作をする。
すなわち制御部１０４は、自端末の電池１０１の残量を常時監視し、自端末の電池１０１の残量が予め設定された閾値よりも少なくなった時に、無線通信部１０９に対して電池残量通知メッセージの発信要求の指示を出すと共に、送信間隔期間Ｔ２を長くするために、予め設定された時間間隔値を自動的にＴ２＋αに変更する。【００４４】  以上からユーザは電池残量通知メッセージを受け取ることにより電池残量が無くなる前に、電池の充電または電池の交換等を行い位置情報サービスを継続して使用することが可能になると共に、予め設定された電源切断期間Ｔ１と送信間隔期間Ｔ２が自動的に長くなるように設定変更されるため、電池の消耗を低減することが可能になる。【００４５】  次にカメラ撮影部１１６を備えたＧＰＳ機能付き携帯通信端末の動作について、図５に示すタイムチャートを基にして説明する。【００４６】  前記図２及び図３で説明したように、制御部１０４が位置情報発信部１０８に対して位置情報発信要求の指示を出すタイミングは、制御部１０４がタイマ回路部１０２より自動電源オン通知を受け取り位置情報発信要求の指示を出す時と、制御部１０４がタイマ回路部１０２より手動電源オン通知を受け取った時および予め設定された時間間隔Ｔ２で自動的に位置情報発信要求の指示を出す時である。
図５の実施例は、ユーザ操作により携帯通信端末の電源が投入され、制御部１０４がタイマ回路部１０２より手動電源オン通知を受け取った場合である。【００４７】  制御部１０４は、位置情報発信部１０８に対して位置情報発信要求の指示を出す前に、カメラ撮影部１１６に対して画像撮影の指示を出し、カメラ撮影部１１６が画像撮影した画像情報を取得する。次に制御部１０４が位置情報発信部１０８に対して位置情報発信要求の指示を出す時に、該画像情報を位置情報発信部１０８へ引き渡す。
ここでカメラ撮影部１１６が画像撮影する画像情報には、静止画および動画の種類があり、ユーザが予め選択し設定しておくようにする。【００４８】  位置情報発信部１０８は、ＧＰＳ衛星から受信した信号データを基にして位置測定部１０７が求めた自端末の位置情報と、位置情報を検出した時刻情報と、位置情報を基に算出して得られる位置関連情報と、自端末に予め登録されているユーザ情報等の自端末情報と、自端末が受信した情報および該情報を基に算出して得られるその他関連情報と、制御部１０４から引き渡された画像情報とを、予め設定された特定アドレスに対して発信するように制御する。さらに、位置情報発信部１０８は無線通信部１０９へ情報発信の指示を出し、無線通信部１０９は、無線通信プロトコルに従ってデータを送信する。
無線通信部１０９は、データ送信が完了すると制御部１０４に対して送信完了通知を行う。【００４９】  以上から、ユーザ操作により携帯通信端末の電源が投入されると、即時に自端末の現在の位置情報等に加えて画像情報を自動発信し、その後は予め設定された時間間隔Ｔ２で自端末の現在の位置情報等と画像情報を繰返し自動発信することが可能となる。【００５０】  また図５の実施例は、ユーザ操作により携帯通信端末の電源が投入され、制御部１０４がタイマ回路部１０２より手動電源オン通知を受け取った場合であるが、制御部１０４がタイマ回路部１０２より自動電源オン通知を受け取り位置情報発信要求の指示を出す場合も同様の動作をする。【００５１】  この画像情報を自動発信する機能は、ユーザの使用目的により選択できるようにするためにオプション機能とする。【００５２】  また制御部１０４が自端末の電池１０１の残量を常時監視し、自端末の電池１０１の残量が予め設定された閾値よりも少なくなった時に、制御部１０４がカメラ撮影部１１６に対して画像撮影の指示を出さないようにして画像撮影による電池の消費電力を低減することについても、ユーザが選択できるようにするためにオプション機能とする。【００５３】  次に音声記録部１１７を備えたＧＰＳ機能付き携帯通信端末の動作について、図６に示すタイムチャートを基にして説明する。【００５４】  前記図２及び図３で説明したように、制御部１０４が位置情報発信部１０８に対して位置情報発信要求の指示を出すタイミングは、制御部１０４がタイマ回路部１０２より自動電源オン通知を受け取り位置情報発信要求の指示を出す時と、制御部１０４がタイマ回路部１０２より手動電源オン通知を受け取った時および予め設定された時間間隔Ｔ２で自動的に位置情報発信要求の指示を出す時である。
図６の実施例は、ユーザ操作により携帯通信端末の電源が投入され、制御部１０４がタイマ回路部１０２より手動電源オン通知を受け取った場合である。【００５５】  制御部１０４は、位置情報発信部１０８に対して位置情報発信要求の指示を出す前に、音声記録部１１７に対して音声記録の指示を出し、音声記録部１１７が音声記録した音声情報を取得する。次に制御部１０４が位置情報発信部１０８に対して位置情報発信要求の指示を出す時に、該音声情報を位置情報発信部１０８へ引き渡す。
ここで音声記録部１１７が音声記録する記録時間については、ユーザが予め設定しておくようにする。【００５６】  位置情報発信部１０８は、ＧＰＳ衛星から受信した信号データを基にして位置測定部１０７が求めた自端末の位置情報と、位置情報を検出した時刻情報と、位置情報を基に算出して得られる位置関連情報と、自端末に予め登録されているユーザ情報等の自端末情報と、自端末が受信した情報および該情報を基に算出して得られるその他関連情報と、制御部１０４から引き渡された音声情報とを、予め設定された特定アドレスに対して発信するように制御する。さらに、位置情報発信部１０８は無線通信部１０９へ情報発信の指示を出し、無線通信部１０９は、無線通信プロトコルに従ってデータを送信する。
無線通信部１０９は、データ送信が完了すると制御部１０４に対して送信完了通知を行う。【００５７】  以上から、ユーザ操作により携帯通信端末の電源が投入されると、即時に自端末の現在の位置情報等に加えて音声情報を自動発信し、その後は予め設定された時間間隔Ｔ２で自端末の現在の位置情報等と音声情報を繰返し自動発信することが可能となる。【００５８】  また図６の実施例は、ユーザ操作により携帯通信端末の電源が投入され、制御部１０４がタイマ回路部１０２より手動電源オン通知を受け取った場合であるが、制御部１０４がタイマ回路部１０２より自動電源オン通知を受け取り位置情報発信要求の指示を出す場合も同様の動作をする。【００５９】  この音声情報を自動発信する機能は、ユーザの使用目的により選択できるようにするためにオプション機能とする。この機能は、前記の画像情報を自動発信する機能と併用して使用することも可能である。【００６０】  また制御部１０４が自端末の電池１０１の残量を常時監視し、自端末の電池１０１の残量が予め設定された閾値よりも少なくなった時に、制御部１０４が音声記録部１１７に対して音声記録の指示を出さないようにして音声記録による電池の消費電力を低減することについても、ユーザが選択できるようにするためにオプション機能とする。【００６１】  次にセーブモード時の位置情報発信部１０８の処理について、図７に示すフローチャートを基にして説明する。セーブモードとは、位置情報発信を条件付き抑制する機能であり、ユーザが予め設定しておくものとする。【００６２】  前記で説明したように、位置情報発信部１０８は制御部１０４から位置情報発信要求の指示を受けて処理を開始する。
位置情報発信部１０８は、ＧＰＳ衛星から受信した信号データを基にして位置測定部１０７が求めた自端末の現在の位置情報を取得する（Ｓ０１）。
次に現在の設定がセーブモードかどうかを判定し（Ｓ０２）、セーブモードでない場合は、通常の処理として位置情報等の発信要求を行う（Ｓ０６）。セーブモードの場合は、位置情報格納部から前回の位置情報を読出す（Ｓ０３）と共に、読出した該情報を基に特定範囲を算出し（Ｓ０４）、現在の位置情報が特定範囲内にあるかを判定する（Ｓ０５）。
現在の位置情報が特定範囲内にある場合は、位置情報等の発信要求（Ｓ０７）の処理をスキップする。現在の位置情報が特定範囲内にない場合は、現在の位置情報を位置情報格納部へ格納し（Ｓ０６）、位置情報等の発信要求を行う（Ｓ０７）。【００６３】  以上から、ユーザがセーブモードを設定することにより、現在の位置情報が特定範囲内にある場合には位置情報等の発信を抑止することが可能となる。このように位置情報が特定範囲内にある場合には位置情報等の発信を抑止することで、ユーザの利便性および通信費削減のメリットも期待できる。【００６４】  次にチェイスモード時の動作シーケンスについて、図８に示すシーケンス図を基にして説明する。チェイスモードとは、外部からの要求を受け取ると即時に現在の位置情報を発信する機能であり、ユーザが予め設定しておくものとする。【００６５】  前記図３で説明したように、携帯通信端末の電源オン中は、予め設定された時間間隔Ｔ２で自端末の現在の位置情報等を繰返し自動発信する。
図７の実施例では、携帯通信端末から管理者に対して、予め設定された時間間隔Ｔ２で自端末の現在の位置情報等を繰返し自動発信している（Ｔ０１、Ｔ０２、Ｔ０３、Ｔ０４）。
管理者が即時に携帯通信端末の位置情報等を取得したい場合、位置情報発信要求を携帯通信端末へ送信する（Ｒ０１）。ここで送信手段としてメール等の通信手段を利用する。
携帯通信端末は位置情報発信要求を受け取る（Ｒ０２）と、即時に自端末の現在の位置情報を取得して、該位置情報と前記位置情報発信要求の指示に応じた情報を発信する（Ｒ０３）。ここで位置情報発信要求の指示に応じた情報とは、カメラ撮影部が撮影した画像情報、音声記録部が記録した音声情報、位置情報発信部が地図情報とリンクして求めた住所情報および該住所情報に基づき求めた目印情報（コンビニエンスストア、ガソリンスタンド、学校、公共施設、交差点、等）と、位置情報発信部が前回発信した位置情報と現在の位置情報と比較算出して求めた差分情報（例えば、南西に１．３ｋｍ移動）等がある。
管理者は位置情報等を受信する（Ｒ０４）ことにより、即時に携帯通信端末の位置情報を把握することが可能となる。【００６６】  以上から、ユーザがチェイスモードを設定することにより、必要な時に、即時に携帯通信端末の位置情報等を取得することが可能となる。また連続的に位置情報を取得することも可能であり、携帯通信端末を持っている人物を追跡する場合などの用途にも使える。
【図面の簡単な説明】
【図１】本発明の実施例における携帯通信端末の内部構成を示すブロック図である。
【図２】上記実施例における携帯通信端末の動作（電源オフ時）を示すタイムチャートである。
【図３】上記実施例における携帯通信端末の動作（電源オン時）を示すタイムチャートである。
【図４】上記実施例における電池残量が少なくなった時の動作を示すタイムチャートである。
【図５】上記実施例におけるカメラ撮影部を備えた携帯通信端末の動作を示すタイムチャートである。
【図６】上記実施例における音声記録部を備えた携帯通信端末の動作を示すタイムチャートである。
【図７】上記実施例におけるセーブモード時の位置情報発信部の処理を示すフローチャートである。
【図８】上記実施例におけるチェイスモード時の動作を示すシーケンス図である。
【符号の説明】
１０１  電池
１０２  タイマ回路部
１０３  電源スイッチ
１０４  制御部
１０５  ＧＰＳ受信部
１０６  ＧＰＳアンテナ
１０７  位置測定部
１０８  位置情報発信部
１０９  無線通信部
１１０  無線通信アンテナ
１１１  ＣＰＵ
１１２  ＲＡＭ／ＲＯＭ
１１３  システムクロック
１１４  表示部
１１５  入力操作部
１１６  カメラ撮影部
１１７  音声記録部
【図１】
2007074691.tif 000003
【図２】
2007074691.tif 000004
【図３】
2007074691.tif 000005
【図４】
2007074691.tif 000006
【図５】
2007074691.tif 000007
【図６】
2007074691.tif 000008
【図７】
2007074691.tif 000009
【図８】
2007074691.tif 000010
【手続補正書】
【提出日】平成18年6月16日(2006.6.16)
【手続補正１】
【補正対象書類名】特許請求の範囲
【補正対象項目名】全文
【補正方法】変更
【補正の内容】
【特許請求の範囲】
【請求項１】
ＧＰＳ機能付き携帯通信端末であって、ＧＰＳ衛星からの信号データを受信するＧＰＳ受信部と、前記信号データを基に該携帯通信端末の現在位置を求める位置測定部と、前記位置測定部で求めた位置情報等を発信する位置情報発信部と、前記位置情報発信部へ位置情報発信要求の指示を出す制御部と、該携帯通信端末の電源切断後に予め設定された時間間隔で電源オンとするタイマ回路部とを備え、該携帯通信端末の電源オン中は予め設定された時間間隔で自動的に該携帯通信端末の位置情報等を自動発信する機能を有すると共に、該携帯通信端末の電源が切断された後も予め設定された時間間隔で自動的に該携帯通信端末の位置情報等を自動発信する機能を有することを特徴とする携帯通信端末。
【請求項２】
前記位置情報発信部は、ＧＰＳ衛星から受信した信号データを基にして前記位置測定部が求めた該携帯通信端末の位置情報と、前記位置情報を検出した時刻情報と、該携帯通信端末に予め登録されている端末情報と、該携帯通信端末が受信した情報および該情報を基に算出して得られるその他関連情報とを、予め設定された特定アドレスに対して発信する手段を備えたことを特徴とする請求項１に記載の携帯通信端末。
【請求項３】
前記タイマ回路部は、該携帯通信端末の電源切断後に予め設定された時間間隔で電源スイッチをオンとする手段と、前記制御部の電源オフ要求の指示により電源スイッチをオフとする手段とを備えると共に、前記電源スイッチをオンとした時には前記制御部に対して自動電源オン通知を行う手段を備えたことを特徴とする請求項１に記載の携帯通信端末。
【請求項４】
前記制御部は、前記タイマ回路部より自動電源オン通知を受けると前記位置情報発信部へ位置情報発信要求の指示を出す手段と、前記位置情報の送信が完了するとタイマ回路へ電源オフ要求の指示を出す手段とを備えたことを特徴とする請求項１に記載の携帯通信端末。
【請求項５】
前記タイマ回路部は、ユーザ操作により手動で電源が投入されると前記制御部に対して手動電源オン通知を行う手段を備えると共に、前記制御部は、手動電源オン通知を受けると予め設定された時間間隔で自動的に前記位置情報発信部へ位置情報発信要求の指示を出す手段を備えたことを特徴とする請求項１に記載の携帯通信端末。
【請求項６】
前記制御部は、該携帯通信端末の電池の残量が予め設定された閾値よりも少なくなると無線通信部へ指示を出して電池残量通知メッセージを発信する手段を備えたことを特徴とする請求項１に記載の携帯通信端末。
【請求項７】
前記制御部は、該携帯通信端末の電池の残量が予め設定された閾値よりも少なくなると前記位置情報発信部へ位置情報発信要求の指示を出す時間間隔を長くするために、予め設定された時間間隔値を自動的に変更する機能を有することを特徴とする請求項１に記載の携帯通信端末。
【請求項８】
請求項１に記載の携帯通信端末において、画像撮影を行うためのカメラ撮影部を備え、前記制御部はカメラ撮影部へ画像撮影の指示を出す手段と、前記カメラ撮影部が画像撮影した画像情報を前記位置情報発信部へ引き渡す手段とを備えると共に、前記位置情報発信部は該携帯通信端末の位置情報等に前記画像情報を付加して発信する手段を備えたことを特徴とする請求項１に記載の携帯通信端末。
【請求項９】
請求項１に記載の携帯通信端末において、音声を記録するための音声記録部を備え、前記制御部は音声記録部へ音声記録の指示を出す手段と、前記音声記録部が音声記録した音声情報を前記位置情報発信部へ引き渡す手段とを備えると共に、前記位置情報発信部は該携帯通信端末の位置情報等に前記音声情報を付加して発信する手段を備えたことを特徴とする請求項１に記載の携帯通信端末。
【請求項１０】
請求項１に記載の携帯通信端末において、前記位置情報発信部が取得した現在の位置情報が特定範囲内にある場合には、位置情報等の発信を抑止する機能を有すること、および前記特定範囲は位置情報発信部が取得した前回の位置情報を基に算出して求められることを特徴とする請求項１に記載の携帯通信端末。
【請求項１１】
請求項１に記載の携帯通信端末において、該携帯通信端末は外部から位置情報発信要求を受け取ると即時に該携帯通信端末の現在の位置情報を取得すると共に、該位置情報と前記位置情報発信要求の指示に応じた情報とを発信する機能を有することを特徴とする請求項１に記載の携帯通信端末。
【請求項１２】
請求項１に記載の携帯通信端末において、該携帯通信端末はシークレットモード機能を有しており、ユーザ操作によりシークレットモード機能が選択された場合、該携帯通信端末の電源オン中は、表示部は位置情報等を自動発信する機能に関する動作表示を行わないようにする手段と、操作部は位置情報等を自動発信する機能に関する操作をできないようにする手段を備えると共に、該携帯通信端末の電源オフ中は、表示部は位置情報等を自動発信する際にも電源オン表示を行わないようにする手段を備えたことを特徴とする請求項１に記載の携帯通信端末。
【手続補正２】
【補正対象書類名】明細書
【補正対象項目名】全文
【補正方法】変更
【補正の内容】
【発明の詳細な説明】
【技術分野】
【０００１】
本発明は、ＧＰＳ(Global Positioning
System)機能を利用して携帯電話等の携帯通信端末の位置情報を、特定アドレスへ自動発信する技術に関する。
【背景技術】
【０００２】
近年、ＧＰＳ機能付き携帯電話等の携帯通信端末が急速に普及しており、その利用場面も多様化してきている。例えば、徘徊老人や子供の現在位置を知るために使用されたり、また自動車等の車両の盗難探知のために使用される場合もある。
ところがユーザがＧＰＳ機能付き携帯電話を常時身に付けていても、意図的に携帯電話の電源を切断されてしまうと、ユーザの位置情報を知ることができなくなり、ユーザの利便性が損なわれるという問題がある。ここで用いている「意図的」とは、悪意を持った第三者が不正を行うために自分の所在を教えたくないと考えた場合などがあり、誘拐、拉致、監禁事件などの社会問題に繋がるケースも想定される。またユーザが電車などの公共の乗り物に乗車する際に、意図的に携帯電話の電源オフとした後、降車した時に電源オンとすることを忘れる等、ユーザの不注意や忘れたりするケースも想定される。
【０００３】
例えば特許文献１では、病院や美術館等の携帯電話を使用することが好ましくない場所に移動したことを、ＧＰＳ機能を利用して検出し、携帯電話の電源を自動的にオフにするシステムが提案されている。
また特許文献２では、ユーザが公共の場所へ移動し携帯電話の電源を切断する前に、ＧＰＳが検出した位置情報を発信するシステムが提案されている。
【０００４】
【特許文献１】特開２００１−１６０９８５号公報
【特許文献２】特開２００３−００９２０３号公報
【発明の開示】
【発明が解決しようとする課題】
【０００５】
しかしながら、携帯電話の電源が切断された後は、ユーザの位置情報を知ることができなくなるという問題がある。仮に公共の施設などの携帯電話を使用することが好ましくない場所に居る間はユーザの位置情報を知ることができないにしても、ユーザがその場所から出た後に電源を入れ忘れることも想定され、その場合は継続してユーザの位置情報を知ることができなくなる。
【０００６】
本発明は、ＧＰＳ機能付き携帯電話等の携帯通信端末の電源を切断された後も、予め設定された時間間隔で、該携帯通信端末の現在の位置情報等を自動的に発信することにより、ユーザの利便性を追及すると共に犯罪の防止や犯罪の早期解決にも貢献する携帯通信端末を提供することを目的とする。
【課題を解決するための手段】
【０００７】
上記目的を達成するため、請求項１に記載の携帯通信端末は、ＧＰＳ機能付き携帯通信端末であって、ＧＰＳ衛星からの信号データを受信するＧＰＳ受信部と、前記信号データを基に該携帯通信端末の現在位置を求める位置測定部と、前記位置測定部で求めた位置情報等を発信する位置情報発信部と、前記位置情報発信部へ位置情報発信要求の指示を出す制御部と、該携帯通信端末の電源切断後に予め設定された時間間隔で電源オンとするタイマ回路部とを備え、該携帯通信端末の電源オン中は予め設定された時間間隔で自動的に該携帯通信端末の位置情報等を自動発信する機能を有すると共に、該携帯通信端末の電源が切断された後も予め設定された時間間隔で自動的に該携帯通信端末の位置情報等を自動発信する機能を有することを特徴とする。
【０００８】
請求項２に記載の位置情報発信部は、ＧＰＳ衛星から受信した信号データを基にして前記位置測定部が求めた該携帯通信端末の位置情報と、前記位置情報を検出した時刻情報と、該携帯通信端末に予め登録されている端末情報と、該携帯通信端末が受信した情報および該情報を基に算出して得られるその他関連情報とを、予め設定された特定アドレスに対して発信する手段を備えたことを特徴とする。
【０００９】
請求項３に記載のタイマ回路は、該携帯通信端末の電源切断後に予め設定された時間間隔で電源スイッチをオンとする手段と、前記制御部の電源オフ要求の指示により電源スイッチをオフとする手段とを備えると共に、前記電源スイッチをオンとした時には前記制御部に対して自動電源オン通知を行う手段を備えたことを特徴とする。これにより携帯通信端末の電源を切断された後、「自動電源オン」→「位置情報等の発信」→「自動電源オフ」の動作を繰り返すことで位置情報等の自動発信を可能とすると共に、電池の消費電力を大幅に削減して電池の使用可能時間を延長する効果がある。
【００１０】
請求項４に記載の制御部は、前記タイマ回路部より自動電源オン通知を受けると前記位置情報発信部へ位置情報発信要求の指示を出す手段と、前記位置情報の送信が完了するとタイマ回路へ電源オフ要求の指示を出す手段とを備えたことを特徴とする。これにより携帯通信端末の電源オフ中に前記タイマ回路部の指示により「位置情報等の発信」の動作を行うことが可能となり、さらに前記タイマ回路部へ電源オフ要求の指示を出すことで「自動電源オフ」の動作を行うことが可能となる。
【００１１】
請求項５に記載のタイマ回路部は、ユーザ操作により手動で電源が投入されると前記制御部に対して手動電源オン通知を行う手段を備えると共に、前記制御部は、手動電源オン通知を受けると予め設定された時間間隔で自動的に前記位置情報発信部へ位置情報発信要求の指示を出す手段を備えたことを特徴とする。これにより携帯通信端末の電源が投入された後も位置情報等の自動発信が可能となる。
【００１２】
請求項６に記載の制御部は、該携帯通信端末の電池の残量が予め設定された閾値よりも少なくなると無線通信部へ指示を出して電池残量通知メッセージを発信する手段を備えたことを特徴とする。これによりユーザは電池残量通知メッセージを受け取ることで、ユーザは電池残量が無くなる前に電池の充電または電池の交換等を行うことが可能となり位置情報サービスを継続して使用することができる。
【００１３】
請求項７に記載の制御部は、該携帯通信端末の電池の残量が予め設定された閾値よりも少なくなると前記位置情報発信部へ位置情報発信要求の指示を出す時間間隔を長くするために、予め設定された時間間隔値を自動的に変更する機能を有することを特徴とする。これにより位置情報発信間隔を自動的に長くすることで電池の消耗を低減する効果がある。
【００１４】
請求項８に記載の携帯通信端末は、請求項１に記載の携帯通信端末において、画像撮影を行うためのカメラ撮影部を備え、前記制御部はカメラ撮影部へ画像撮影の指示を出す手段と、前記カメラ撮影部が画像撮影した画像情報を前記位置情報発信部へ引き渡す手段とを備えると共に、前記位置情報発信部は該携帯通信端末の位置情報等に前記画像情報を付加して発信する手段を備えたことを特徴とする。これによりユーザは携帯通信端末の現在位置に関する周囲の状況（例えば、道路、建物、人物、人物の服装、等の画像情報）を目視確認することが可能になり、悪意を持って不正を行おうとした人物を追跡する場合など犯罪の早期解決に貢献する効果がある。
【００１５】
請求項９に記載の携帯通信端末は、請求項１に記載の携帯通信端末において、音声を記録するための音声記録部を備え、前記制御部は音声記録部へ音声記録の指示を出す手段と、前記音声記録部が音声記録した音声情報を前記位置情報発信部へ引き渡す手段とを備えると共に、前記位置情報発信部は該携帯通信端末の位置情報等に前記音声情報を付加して発信する手段を備えたことを特徴とする。ここで音声記録部が音声記録する記録時間については、ユーザが予め設定しておくようにする。これによりユーザは携帯通信端末の現在位置に関する周囲の状況（例えば、人間の声、駅や列車内の放送案内、等の音声情報）を耳で確認することが可能になり、悪意を持って不正を行おうとした人物を追跡する場合など犯罪の早期解決に貢献する効果がある。
【００１６】
請求項１０に記載の携帯通信端末は、位置情報発信部が取得した現在の位置情報が特定範囲内にある場合には、位置情報等の発信を抑止する機能を有すること、および前記特定範囲は位置情報発信部が取得した前回の位置情報を基に算出して求められることを特徴とする。これにより現在の位置情報が特定範囲内にある場合には位置情報等の発信を抑止することが可能となり、ユーザの利便性および通信費削減のメリットも期待できる。
【００１７】
請求項１１に記載の携帯通信端末は、外部から位置情報発信要求を受け取ると即時に該携帯通信端末の現在の位置情報を取得すると共に、該位置情報と前記位置情報発信要求の指示に応じた情報とを発信する機能を有することを特徴とする。ここで位置情報発信要求の指示に応じた情報とは、カメラ撮影部が撮影した画像情報、音声記録部が記録した音声情報、位置情報発信部が地図情報とリンクして求めた住所情報および該住所情報に基づき求めた目印情報（コンビニエンスストア、ガソリンスタンド、学校、公共施設、交差点、等）と、位置情報発信部が前回発信した位置情報と現在の位置情報と比較算出して求めた差分情報（例えば、南西に1.3km移動）等がある。
【００１８】
請求項１２に記載の携帯通信端末はシークレットモード機能を有しており、ユーザ操作によりシークレットモード機能が選択された場合、該携帯通信端末の電源オン中は、表示部は位置情報等を自動発信する機能に関する動作表示を行わないようにする手段と、操作部は位置情報等を自動発信する機能に関する操作をできないようにする手段を備えると共に、該携帯通信端末の電源オフ中は、表示部は位置情報等を自動発信する際にも電源オン表示を行わないようにする手段を備えたことを特徴とする。これにより該携帯通信端末の電源オンおよび電源オフ中に、位置情報等の自動発信を携帯通信端末の使用者に気づかれることなく行うことが可能となり、悪意を持って不正を行おうとした者に悟られずに該携帯通信端末の現在の位置情報を自動発信することができる。
【発明の効果】
【００１９】
本発明によれば、ＧＰＳ機能付き携帯電話等の携帯通信端末の電源が手動により切断されると直ぐに該携帯通信端末の現在の位置情報等を自動的に発信すると共に、その後も、予め設定された時間間隔で、該携帯通信端末の現在の位置情報等を自動的に発信することが可能となるため、携帯通信端末の電源を切断された後もユーザの現在位置を知らせることができユーザの利便性を高めると共に、犯罪の防止や犯罪の早期解決に貢献する効果がある。
【００２０】
またＧＰＳ機能付き携帯電話等の携帯通信端末の電源を切断された後、「自動電源オン」→「位置情報等の発信」→「自動電源オフ」の動作を繰り返すと共に、電源切断中は表示部には電源オン状態を表示しないようにシークレットモード状態とすることにより、電池の消費電力を大幅に削減して電池の使用可能時間を延長する効果がある。さらにシークレットモードは、携帯通信端末の電源がオン中も選択できるオプションとし、ユーザがシークレットモードを継続するオプションを選択した時には位置情報等を自動発信する機能に関する動作の表示を行わないことにすると共に、位置情報等を自動発信する機能に関する操作もできないようにすることで、悪意を持って不正を行おうとした者が自分の所在を教えたくないと考えた場合に、前者に悟られずに該携帯通信端末の現在の位置情報を自動発信することが可能となり、犯罪の防止や犯罪の早期解決に貢献する効果がある。
【００２１】
また電池の残量が予め設定された閾値よりも少なくなった時に、ユーザは電池残量通知メッセージを受け取ることにより、ユーザは電池残量が無くなる前に電池の充電または電池の交換等を行うことで位置情報サービスを継続して使用することが可能になると共に、位置情報発信間隔を長くすることにより、電池の消耗を低減する効果がある。
【００２２】
またカメラ撮影部の付いた携帯通信端末の場合、位置情報等に加えて画像撮影した画像情報を自動発信することにより、ユーザは該携帯通信端末の現在の位置情報を把握すると共に該携帯通信端末の現在位置に関する周囲の状況（例えば、道路、建物、人物、人物の服装、等の画像情報）を目視確認することが可能になり、悪意を持って不正を行おうとした人物を追跡する場合など犯罪の早期解決に貢献する効果がある。
【００２３】
さらに音声記録部の付いた携帯通信端末の場合、位置情報等に加えて音声記録した音声情報を自動発信することにより、ユーザは該携帯通信端末の現在の位置情報を把握すると共に該携帯通信端末の現在位置に関する周囲の状況（例えば、人間の声、駅や列車内の放送案内、等の音声情報）を耳で確認することが可能になり、悪意を持って不正を行おうとした人物を追跡する場合など犯罪の早期解決に貢献する効果がある。
【発明を実施するための最良の形態】
【００２４】
次に、本発明の実施の形態に係るＧＰＳ機能付き携帯通信端末について図面に基づいて説明する。なお、この実施の形態により本発明が限定されるものではない。
【００２５】
（実施の形態１）
図１は、本発明の実施の形態１に係るＧＰＳ機能付き携帯通信端末の内部構成を示すブロック図である。本実施例のＧＰＳ機能付き携帯通信端末は、ＧＰＳ衛星から送信される信号データを受信するＧＰＳアンテナ106およびＧＰＳ受信部105と、前記信号データを基に該携帯通信端末の現在位置を求める位置測定部107と、位置測定部107で求めた位置情報等を自動発信する位置情報発信部108と、位置情報発信部108の指示により無線通信プロトコルに従ってデータを送受信する無線通信部109とを有する。
【００２６】
また該携帯通信端末の電源切断後に予め設定された時間間隔T1で電源オンとし制御部104の指示により電源オフとするタイマ回路部102と、前記電源オンと同時に位置情報発信部へ指示を出して現在の位置情報等を発信すると共に前記位置情報の発信後にタイマ回路部部102へ指示を出し電源オフとする制御部104と、タイマ回路の指示により携帯通信端末の各部に対する電源供給をオン／オフする電源スイッチ103と、該携帯通信端末の電源供給源となる電池101とを有する。ここで例えば、時間間隔T1は、秒単位、分単位、または時間単位で設定可能であり、さらにそれらを組合せて設定することも可能である。例えば、１日間隔としたい場合はT1=24時間とし、１週間隔をとしたい場合はT1=24×7時間と設定することが可能である。
【００２７】
さらに無線通信部109、制御部104を含む携帯通信端末全体の制御を行うＣＰＵ 111と、ＣＰＵ111が各部を制御するために必要なプログラムや、該携帯通信端末のプロトコル、位置情報を測定するために必要な各種ソフトウエアを格納するＲＡＭ／ＲＯＭ 112と、ＣＰＵ 111および各部の動作タイミングを測ると共に、現在時刻をカウントするソフトウエアタイマの基準となるシステムクロック部113と、該携帯通信端末の動作状況を表示する表示部114と、ユーザが操作を行うときのインタフェースとなる入力操作部115と、画像撮影を行うカメラ撮影部116と、音声を記録する音声記録部117とを有する。
【００２８】
（実施の形態２）
次に図２は、本発明の実施の形態２に係るＧＰＳ機能付き携帯通信端末の電源オフ時の動作を示すタイムチャートである。ここで図２のタイムチャートは、図１で説明した構成を前提とした動作を説明するものである。
【００２９】
タイマ回路部102は、該携帯通信端末の電源切断時にも電源が常時供給されるようになっており、該携帯通信端末の電源スイッチ103を常時監視すると共に、電源切断（電源スイッチ103がオフ）を検知した時には、予め設定された電源切断期間T0のカウントを開始する。タイマ回路部102は、電源切断期間T0のカウントを終了すると、電源スイッチ103をオンにして各部に対する電源供給を開始すると共に、制御部104に対して自動電源オン通知を行う。ここで電源切断期間T0は、初期値として予め設定されている値であるが、ユーザが操作部115で設定値を変更することは可能である。また電源切断期間T0は、最初の電源切断期間であり、この値を小さくすることで、手動による電源切断後直ちに位置情報等の発信を行うことが可能となる。
【００３０】
表示部114は、タイマ回路部102が電源スイッチ103をオンにして各部に対する電源供給を開始しても、シークレットモード機能が選択されていると電源オン表示を行わない状態となる。
【００３１】
制御部104は、タイマ回路部102より自動電源オン通知を受け取ると位置情報発信部108へ位置情報発信要求の指示を出す。
【００３２】
位置情報発信部108は、ＧＰＳ衛星から受信した信号データを基にして位置測定部107が求めた該携帯通信端末の位置情報と、位置情報を検出した時刻情報と、該携帯通信端末に予め登録されているユーザ情報等の端末情報と、該携帯通信端末が受信した情報および該情報を基に算出して得られるその他関連情報とを、予め設定された特定アドレスに対して発信するように制御する。さらに、位置情報発信部108は無線通信部109へ情報発信の指示を出し、無線通信部109は、無線通信プロトコルに従ってデータを送信する。無線通信部109は、データ送信が完了すると制御部104に対して送信完了通知を行い、制御部104は、送信完了通知を受け取るとタイマ回路部102へ電源オフ要求の指示を出す。
【００３３】
タイマ回路部102は、制御部104から電源オフ要求の指示により、電源スイッチ103をオフにして各部に対する電源供給を止めると共に、再び予め設定された電源切断期間T1のカウントを開始する。ここで電源切断期間T1は、2回目以降の電源切断期間であり、通常はT0≦T1とすることになる。また電源切断期間T1は、初期値として予め設定されている値であるが、ユーザが操作部115で設定値を変更することは可能である。
【００３４】
ユーザ操作により携帯通信端末の電源がオンになるまで、上記で説明したようにシークレットモード状態で「自動電源オン」→「位置情報等の発信」→「自動電源オフ」の動作を繰り返すことになる。またユーザ操作により携帯通信端末の電源がオンになると、タイマ回路部102はカウント処理を止めるとともに、表示部114は電源オン表示を行うようになる。
またユーザ操作により該携帯通信端末の電源がオンとなり、シークレットモード状態が継続している時には、表示部114は電源オン表示を行い通常表示状態となるが、位置情報等を自動発信する機能に関する動作の表示を行わないようにすると共に、位置情報等を自動発信する機能に関する操作もできないようにする。
【００３５】
以上から、ユーザ操作により該携帯通信端末の電源を切断された後も、予め設定された時間間隔T0およびT1で該携帯通信端末の現在の位置情報等を繰返し自動発信することが可能となる。また、後述する図３にある送信間隔期間T2を用いて、位置情報等を繰返し自動発信することも可能である。この場合、すなわち送信間隔期間T2を用いて位置情報等を繰返し自動発信する場合、途中で電源オンとされた際にも、送信間隔期間T2をリセットせずに継続して位置情報等を繰返し自動発信することも可能である。
【００３６】
（実施の形態３）
次に図３は、本発明の実施の形態３に係るＧＰＳ機能付き携帯通信端末の電源オン時の動作を示すタイムチャートである。ここで図３のタイムチャートは、図１で説明した構成を前提とした動作を説明するものである。
【００３７】
タイマ回路部102は、該携帯通信端末の電源スイッチ103を常時監視しており、ユーザ操作により手動で電源が投入されたことを検知するとカウント処理を中止し、制御部104に対して手動電源オン通知を行う。制御部104は、手動電源オン通知を受けると即時に位置情報発信部108へ位置情報発信要求の指示を出す。
【００３８】
位置情報発信部108は、ＧＰＳ衛星から受信した信号データを基にして位置測定部107が求めた該携帯通信端末の位置情報と、位置情報を検出した時刻情報と、該携帯通信端末に予め登録されているユーザ情報等の端末情報と、該携帯通信端末が受信した情報および該情報を基に算出して得られるその他関連情報とを、予め設定された特定アドレスに対して発信するように制御する。さらに、位置情報発信部108は無線通信部109へ情報発信の指示を出し、無線通信部109は、無線通信プロトコルに従ってデータを送信する。
【００３９】
無線通信部109は、データ送信が完了すると制御部104に対して送信完了通知を行い、制御部104は、送信完了通知を受け取ると、予め設定された時間T2（送信間隔期間）が経過するまで待ち、送信間隔期間T2に達すると、再び位置情報発信部108へ位置情報発信要求の指示を出す。ユーザ操作により携帯通信端末の電源がオフになるまで、制御部104は上記の処理を繰り返すことになる。ここで送信間隔期間T2は、初期値として予め設定されている値であるが、ユーザが操作部115で設定値を変更することは可能である。ここで例えば、時間間隔T2は、秒単位、分単位、または時間単位で設定可能であり、さらにそれらを組合せて設定することも可能である。例えば、１日間隔としたい場合はT2=24時間とし、１週間隔をとしたい場合はT2=24×7時間と設定することが可能である。
【００４０】
以上から、ユーザ操作により該携帯通信端末の電源が投入されると、即時に該携帯通信端末の現在の位置情報等を自動発信し、その後は予め設定された時間間隔T2で該携帯通信端末の現在の位置情報等を繰返し自動発信することが可能となる。また送信間隔期間T2を用いて位置情報等を繰返し自動発信する場合、途中で電源オフとされた際にも、送信間隔期間T2をリセットせずに継続して位置情報等を繰返し自動発信することも可能である。
またユーザ操作により該携帯通信端末の電源がオンとなり、さらにシークレットモード機能が選択された場合には、表示部114は電源オン表示を行い通常表示状態となるが、位置情報等を自動発信する機能に関する動作の表示を行わないようにすると共に、位置情報等を自動発信する機能に関する操作もできないようにする。
【００４１】
（実施の形態４）
次に図４は、本発明の実施の形態４に係るＧＰＳ機能付き携帯通信端末の電池残量が少なくなった時の動作を示すタイムチャートである。ここで図４のタイムチャートは、図１で説明した構成を前提とした動作を説明するものであり、さらに図２で説明した電源オフ時の動作を前提としている。
【００４２】
制御部104は、該携帯通信端末の電池101の残量を常時監視し、該携帯通信端末の電池101の残量が予め設定された閾値よりも少なくなった時に、無線通信部109に対して電池残量通知メッセージの発信要求の指示を出す。この時、予め設定された特定アドレスに対して発信するように指示を出す。無線通信部109は、無線通信プロトコルに従ってデータを送信する。
さらに制御部104は、該携帯通信端末の電池101の残量を常時監視し、該携帯通信端末の電池101の残量が予め設定された閾値よりも少なくなった時に、電源切断期間T1を長くするために、予め設定された時間間隔値を自動的にT1+αに変更する。
【００４３】
また図４は、電源オフ時の携帯通信端末の電池残量が少なくなった時の動作を説明しているが、電源オン時も同様の動作をする。電源オン時の動作については図３で説明した動作を前提としている。
すなわち制御部104は、該携帯通信端末の電池101の残量を常時監視し、該携帯通信端末の電池101の残量が予め設定された閾値よりも少なくなった時に、無線通信部109に対して電池残量通知メッセージの発信要求の指示を出すと共に、送信間隔期間T2を長くするために、予め設定された時間間隔値を自動的にT2+αに変更する。
【００４４】
以上からユーザは電池残量通知メッセージを受け取ることにより電池残量が無くなる前に、電池の充電または電池の交換等を行い位置情報サービスを継続して使用することが可能になると共に、予め設定された電源切断期間T1と送信間隔期間T2が自動的に長くなるように設定変更されるため、電池の消耗を低減することが可能になる。
【００４５】
（実施の形態５）
次に図５は、本発明の実施の形態５に係るＧＰＳ機能付き携帯通信端末にカメラ撮影部を備えた場合の動作を示すタイムチャートである。ここで図５のタイムチャートは、図１で説明した構成を前提とした動作を説明するものである。
【００４６】
前記図２及び図３で説明したように、制御部104が位置情報発信部108に対して位置情報発信要求の指示を出すタイミングは、制御部104がタイマ回路部102より自動電源オン通知を受け取り位置情報発信要求の指示を出す時と、制御部104がタイマ回路部102より手動電源オン通知を受け取った時および予め設定された時間間隔T2で自動的に位置情報発信要求の指示を出す時である。
図５は、ユーザ操作により該携帯通信端末の電源が投入され、制御部104がタイマ回路部102より手動電源オン通知を受け取った場合であり、図３で説明した電源オン時の動作を前提としている。
【００４７】
制御部104は、位置情報発信部108に対して位置情報発信要求の指示を出す前に、カメラ撮影部116に対して画像撮影の指示を出し、カメラ撮影部116が画像撮影した画像情報を取得する。次に制御部104が位置情報発信部108に対して位置情報発信要求の指示を出す時に、該画像情報を位置情報発信部108へ引き渡す。
ここでカメラ撮影部116が画像撮影する画像情報には、静止画および動画の種類があり、ユーザが予め選択し設定しておくようにする。
【００４８】
位置情報発信部108は、ＧＰＳ衛星から受信した信号データを基にして位置測定部107が求めた該携帯通信端末の位置情報と、位置情報を検出した時刻情報と、位置情報を基に算出して得られる位置関連情報と、該携帯通信端末に予め登録されているユーザ情報等の端末情報と、該携帯通信端末が受信した情報および該情報を基に算出して得られるその他関連情報と、制御部104から引き渡された画像情報とを、予め設定された特定アドレスに対して発信するように制御する。さらに、位置情報発信部108は無線通信部109へ情報発信の指示を出し、無線通信部109は、無線通信プロトコルに従ってデータを送信する。
無線通信部109は、データ送信が完了すると制御部104に対して送信完了通知を行う。
【００４９】
以上から、ユーザ操作により該携帯通信端末の電源が投入されると、即時に該携帯通信端末の現在の位置情報等に加えて画像情報を自動発信し、その後は予め設定された時間間隔T2で該携帯通信端末の現在の位置情報等と画像情報を繰返し自動発信することが可能となる。
【００５０】
また図５は、ユーザ操作により該携帯通信端末の電源が投入され、制御部104がタイマ回路部102より手動電源オン通知を受け取った場合であるが、制御部104がタイマ回路部102より自動電源オン通知を受け取り位置情報発信要求の指示を出す場合も同様の動作をする。この場合は図２で説明した電源オフ時の動作を前提とする。
【００５１】
この画像情報を自動発信する機能は、ユーザの使用目的により選択できるようにするためにオプション機能とする。
【００５２】
また制御部104が該携帯通信端末の電池101の残量を常時監視し、該携帯通信端末の電池101の残量が予め設定された閾値よりも少なくなった時に、制御部104がカメラ撮影部116に対して画像撮影の指示を出さないようにして画像撮影による電池の消費電力を低減することについても、ユーザが選択できるようにするためにオプション機能とする。
【００５３】
（実施の形態６）
次に図６は、本発明の実施の形態６に係るＧＰＳ機能付き携帯通信端末に音声記録部を備えた場合の動作を示すタイムチャートである。ここで図６のタイムチャートは、図１で説明した構成を前提とした動作を説明するものである。
【００５４】
前記図２及び図３で説明したように、制御部104が位置情報発信部108に対して位置情報発信要求の指示を出すタイミングは、制御部104がタイマ回路部102より自動電源オン通知を受け取り位置情報発信要求の指示を出す時と、制御部104がタイマ回路部102より手動電源オン通知を受け取った時および予め設定された時間間隔T2で自動的に位置情報発信要求の指示を出す時である。
図６は、ユーザ操作により該携帯通信端末の電源が投入され、制御部104がタイマ回路部102より手動電源オン通知を受け取った場合であり、図３で説明した電源オン時の動作を前提としている。
【００５５】
制御部104は、位置情報発信部108に対して位置情報発信要求の指示を出す前に、音声記録部117に対して音声記録の指示を出し、音声記録部117が音声記録した音声情報を取得する。次に制御部104が位置情報発信部108に対して位置情報発信要求の指示を出す時に、該音声情報を位置情報発信部108へ引き渡す。
ここで音声記録部117が音声記録する記録時間については、ユーザが予め設定しておくようにする。
【００５６】
位置情報発信部108は、ＧＰＳ衛星から受信した信号データを基にして位置測定部107が求めた該携帯通信端末の位置情報と、位置情報を検出した時刻情報と、位置情報を基に算出して得られる位置関連情報と、該携帯通信端末に予め登録されているユーザ情報等の端末情報と、該携帯通信端末が受信した情報および該情報を基に算出して得られるその他関連情報と、制御部104から引き渡された音声情報とを、予め設定された特定アドレスに対して発信するように制御する。さらに、位置情報発信部108は無線通信部109へ情報発信の指示を出し、無線通信部109は、無線通信プロトコルに従ってデータを送信する。
無線通信部109は、データ送信が完了すると制御部104に対して送信完了通知を行う。
【００５７】
以上から、ユーザ操作により該携帯通信端末の電源が投入されると、即時に該携帯通信端末の現在の位置情報等に加えて音声情報を自動発信し、その後は予め設定された時間間隔T2で該携帯通信端末の現在の位置情報等と音声情報を繰返し自動発信することが可能となる。
【００５８】
また図６は、ユーザ操作により該携帯通信端末の電源が投入され、制御部104がタイマ回路部102より手動電源オン通知を受け取った場合であるが、制御部104がタイマ回路部102より自動電源オン通知を受け取り位置情報発信要求の指示を出す場合も同様の動作をする。この場合は図２で説明した電源オフ時の動作を前提とする。
【００５９】
この音声情報を自動発信する機能は、ユーザの使用目的により選択できるようにするためにオプション機能とする。この機能は、前記の画像情報を自動発信する機能と併用して使用することも可能である。
【００６０】
また制御部104が該携帯通信端末の電池101の残量を常時監視し、該携帯通信端末の電池101の残量が予め設定された閾値よりも少なくなった時に、制御部104が音声記録部117に対して音声記録の指示を出さないようにして音声記録による電池の消費電力を低減することについても、ユーザが選択できるようにするためにオプション機能とする。
【００６１】
（実施の形態７）
次に図７は、本発明の実施の形態７に係るＧＰＳ機能付き携帯通信端末のセーブモード時における位置情報発信部の処理を示すフローチャートである。ここで図７のフローチャートは、図１で説明した構成を前提とした処理を説明するものであり、さらに図２で説明した電源オフ時の動作、および図３で説明した電源オン時の動作を前提としている。またセーブモードとは、位置情報発信を条件付き抑制する機能であり、ユーザが予め設定しておくものとする。
【００６２】
前記で説明したように、位置情報発信部108は制御部104から位置情報発信要求の指示を受けて処理を開始する。
位置情報発信部108は、ＧＰＳ衛星から受信した信号データを基にして位置測定部107が求めた該携帯通信端末の現在の位置情報を取得する（S01）。
次に現在の設定がセーブモードかどうかを判定し（S02）、セーブモードでない場合は、通常の処理として位置情報等の発信要求を行う（S06）。セーブモードの場合は、位置情報格納部から前回の位置情報を読出す（S03）と共に、読出した該情報を基に特定範囲を算出し（S04）、現在の位置情報が特定範囲内にあるかを判定する（S05）。
現在の位置情報が特定範囲内にある場合は、位置情報等の発信要求（S07）の処理をスキップする。現在の位置情報が特定範囲内にない場合は、現在の位置情報を位置情報格納部へ格納し（S06）、位置情報等の発信要求を行う（S07）。
【００６３】
以上から、ユーザがセーブモードを設定することにより、現在の位置情報が特定範囲内にある場合には位置情報等の発信を抑止することが可能となる。このように位置情報が特定範囲内にある場合には位置情報等の発信を抑止することで、ユーザの利便性および通信費削減のメリットも期待できる。
【００６４】
（実施の形態８）
次に図８は、本発明の実施の形態８に係るＧＰＳ機能付き携帯通信端末のチェイスモード時における処理を示すシーケンス図である。ここで図８のシーケンス図は、図１で説明した構成を前提とした処理を説明するものであり、さらに図２で説明した電源オフ時の動作、および図３で説明した電源オン時の動作を前提としている。またチェイスモードとは、外部からの要求を受け取ると即時に現在の位置情報を発信する機能であり、ユーザが予め設定しておくものとする。
【００６５】
前記図３で説明したように、該携帯通信端末の電源オン中は、予め設定された時間間隔T2で該携帯通信端末の現在の位置情報等を繰返し自動発信する。
図７の実施例では、該携帯通信端末から管理者に対して、予め設定された時間間隔T2で該携帯通信端末の現在の位置情報等を繰返し自動発信している（T01、T02、T03、T04）。
管理者が即時に該携帯通信端末の位置情報等を取得したい場合、位置情報発信要求を該携帯通信端末へ送信する（R01）。ここで送信手段としてメール等の通信手段を利用する。
該携帯通信端末は位置情報発信要求を受け取る（R02）と、即時に該携帯通信端末の現在の位置情報を取得して、該位置情報と前記位置情報発信要求の指示に応じた情報を発信する（R03）。ここで位置情報発信要求の指示に応じた情報とは、カメラ撮影部が撮影した画像情報、音声記録部が記録した音声情報、位置情報発信部が地図情報とリンクして求めた住所情報および該住所情報に基づき求めた目印情報（コンビニエンスストア、ガソリンスタンド、学校、公共施設、交差点、等）と、位置情報発信部が前回発信した位置情報と現在の位置情報と比較算出して求めた差分情報（例えば、南西に1.3km移動）等がある。
管理者は位置情報等を受信する（R04）ことにより、即時に該携帯通信端末の位置情報を把握することが可能となる。
【００６６】
以上から、ユーザがチェイスモードを設定することにより、必要な時に、即時に該携帯通信端末の位置情報等を取得することが可能となる。また連続的に位置情報を取得することも可能であり、該携帯通信端末を持っている人物を追跡する場合などの用途にも使える。
【図面の簡単な説明】
【００６７】
【図１】本発明の実施の形態１に係るＧＰＳ機能付き携帯通信端末の内部構成を示すブロック図である。
【図２】本発明の実施の形態２に係るＧＰＳ機能付き携帯通信端末の電源オフ時の動作を示すタイムチャートである。
【図３】本発明の実施の形態３に係るＧＰＳ機能付き携帯通信端末の電源オン時の動作を示すタイムチャートである。
【図４】本発明の実施の形態４に係るＧＰＳ機能付き携帯通信端末の電池残量が少なくなった時の動作を示すタイムチャートである。
【図５】本発明の実施の形態５に係るＧＰＳ機能付き携帯通信端末にカメラ撮影部を備えた場合の動作を示すタイムチャートである。
【図６】本発明の実施の形態６に係るＧＰＳ機能付き携帯通信端末に音声記録部を備えた場合の動作を示すタイムチャートである。
【図７】本発明の実施の形態７に係るＧＰＳ機能付き携帯通信端末のセーブモード時における位置情報発信部の処理を示すフローチャートである。
【図８】本発明の実施の形態８に係るＧＰＳ機能付き携帯通信端末のチェイスモード時における動作を示すシーケンス図である。
【符号の説明】
【００６８】
１０１  電池
１０２  タイマ回路部
１０３  電源スイッチ
１０４  制御部
１０５  ＧＰＳ受信部
１０６  ＧＰＳアンテナ
１０７  位置測定部
１０８  位置情報発信部
１０９  無線通信部
１１０  無線通信アンテナ
１１１  ＣＰＵ
１１２  ＲＡＭ／ＲＯＭ
１１３  システムクロック
１１４  表示部
１１５  入力操作部
１１６  カメラ撮影部
１１７  音声記録部